(57)【要約】【課題】簡素な構成で、良好な音質を得ることができるＭＦＢ方式の音響装置を提供する。【解決手段】差動増幅器１の＋側入力端子には音声信号が入力され、−側入力端子にはスピーカ３のボイスコイル４の振動速度を検出する振動速度検出コイル５からの振動速度検出信号が入力され、差動増幅器１は、入力音声信号と振動速度検出信号との電位差に応じて差動信号を出力する。ＭＦＢレベル調整部６は、ユーザ操作に応じて設定された抵抗値により、差動増幅器１からの差動信号のレベルを変化させ、パワーアンプ２は、ＭＦＢレベル調整部６により変化された差動信号を増幅してスピーカ３のボイスコイル４を振動させる。【選択図】図１
2008236533.tif 000002
【特許請求の範囲】
【請求項１】
スピーカの振動系の振動速度を検出して振動速度検出信号を生成する振動速度検出部と、
一方の入力端子に音声信号が入力され、他方の入力端子に前記振動速度検出信号が入力され、前記音声信号と前記振動速度検出信号との電位差に応じて差動信号を出力する差動増幅器と、
この差動増幅器から出力された前記差動信号のレベルを変化させる調整部と、
この調整部により変化された前記差動信号を増幅して前記スピーカに供給するパワーアンプと
を備えることを特徴とする音響装置。
【請求項２】
前記調整部は、前記差動信号のレベルを外部操作に応じて変化させる構成としたことを特徴とする請求項１に記載の音響装置。
【発明の詳細な説明】
【技術分野】
【０００１】
本発明は、音声信号を再生する音響装置に関し、特に、ＭＦＢ（Motional Feed Back）方式の音響装置に関する。
【背景技術】
【０００２】
従来、図２に示すようなＭＦＢ方式の音響装置が知られている（例えば、特許文献１参照）。図２に示す音響装置では、差動増幅器１の＋側入力端子に音声信号が入力され、スピーカ３のボイスコイル（振動系）４の振動速度を検出する振動速度検出コイル５による振動速度検出信号が差動増幅器１の−側入力端子に入力され、差動増幅器１による差動信号がパワーアンプ２により増幅されて、スピーカ３が駆動される。
【０００３】
このように図２に示す音響装置では、振動速度検出コイル５による振動速度検出信号をパワーアンプ２のＮＦＢループ内に取り込んで、入力した音声信号と発生する音とが同じになるようにスピーカ３を強制的に駆動制御している。その結果、スピーカ固有の癖を抑えることができ、魅力的な音質を得ることができる。
【特許文献１】特開２００４−２００９３４号公報
【発明の開示】
【発明が解決しようとする課題】
【０００４】
しかしながら、図２に示すような従来のＭＦＢ方式の音響装置では、パワーアンプ２に帰還させるＭＦＢ量（効果度合）が、予め調整された固定量になっているため、音楽によってはＭＦＢの効果が過剰になり、音質的にマッチングが悪くなることがあった。
【０００５】
そこで、ＭＦＢ量を可変にすることで音質を調整可能にするために、振動速度検出コイル５の検出レベルを可変にすることが考えられる。しかし、このようにすると音量も変化してしまうため、音量を補正するための回路を追加することが必要になり、構成が複雑になるという問題があった。
【０００６】
本発明は上記に鑑みてなされたもので、簡素な構成で、良好な音質を得ることができるＭＦＢ方式の音響装置を提供することを目的とする。
【課題を解決するための手段】
【０００７】
上記目的を達成するため、本発明の音響装置は、スピーカの振動系の振動速度を検出して振動速度検出信号を生成する振動速度検出部と、一方の入力端子に音声信号が入力され、他方の入力端子に前記振動速度検出信号が入力され、前記音声信号と前記振動速度検出信号との電位差に応じて差動信号を出力する差動増幅器と、この差動増幅器から出力された前記差動信号のレベルを変化させる調整部と、この調整部により変化された前記差動信号を増幅して前記スピーカに供給するパワーアンプとを備えることを特徴とする。
【０００８】
また、本発明の音響装置に係る前記調整部は、前記差動信号のレベルを外部操作に応じて変化させる構成としたことを特徴とする。
【発明の効果】
【０００９】
本発明によれば、ＭＦＢ方式の音響装置において、スピーカの振動系の振動速度を検出して得られる振動速度検出信号と入力音声信号との差動出力のレベルを変化させるので、簡素な構成で、良好な音質を得ることができる。
【発明を実施するための最良の形態】
【００１０】
以下、本発明の音響装置を実施するための最良の形態について、図面を参照して説明する。
【００１１】
図１は本発明の実施の形態に係る音響装置を示す構成図である。なお、図１に示す本実施の形態の構成要素において、図２と同一の構成要素については同一符号を付して説明する。
【００１２】
図１に示すように本実施の形態に係る音響装置は、差動増幅器１と、パワーアンプ２と、スピーカ３と、ＭＦＢレベル調整部６とを備える。スピーカ３は、ボイスコイル４と、振動速度検出コイル５とを備える。
【００１３】
差動増幅器１の＋側入力端子には音声信号が入力され、−側入力端子にはスピーカ３のボイスコイル（振動系）４の振動速度を検出する振動速度検出コイル５からの振動速度検出信号が入力される。差動増幅器１は、入力音声信号と振動速度検出信号との電位差に応じて差動信号を出力する。
【００１４】
ＭＦＢレベル調整部６は、可変抵抗器により構成され、差動増幅器１の出力端子に接続されている。ＭＦＢレベル調整部６の抵抗値はユーザ操作に応じて変化可能に構成されている。
【００１５】
パワーアンプ２は、ＭＦＢレベル調整部６により変化された差動信号を増幅してスピーカ３のボイスコイル４に供給し、ボイスコイル４を振動させる。
【００１６】
振動速度検出コイル５は、ボイスコイル４の近傍に設けられ、ボイスコイル４の振動速度を検出して振動速度検出信号を生成する。
【００１７】
次に、本実施の形態に係る音響装置の動作を説明する。
【００１８】
外部から入力された音声信号は、差動増幅器１の＋側入力端子に入力される。一方、スピーカ３のボイスコイル４の振動速度が振動速度検出コイル５により検出され、この振動速度検出信号が、差動増幅器１の−側入力端子に入力される。そして、差動増幅器１は、入力音声信号と振動速度検出信号との電位差に応じて差動信号を出力する。
【００１９】
ＭＦＢレベル調整部６は、ユーザ操作に応じて設定された抵抗値により、差動増幅器１からの差動信号のレベルを変化させる。
【００２０】
そして、パワーアンプ２は、ＭＦＢレベル調整部６により変化された差動信号を増幅してスピーカ３のボイスコイル４に供給し、ボイスコイル４を振動させる。これにより、スピーカ３の振動板が振動し、音声が再生される。
【００２１】
上記説明のように本実施の形態によれば、スピーカのボイスコイル４の振動速度を検出して得られる振動速度検出信号と入力音声信号との差動出力のレベルをユーザ操作に応じて変化させるので、ユーザの好みに応じてパワーアンプ２に帰還させるＭＦＢ量を変化させ、音楽の特徴にベストマッチングの音質を得ることができる。例えば、ジャズやロックには締まったスピード感のある低音、クラシックにはゆっくりとした低音を選ぶといった設定を行うことが可能となる。
【００２２】
また、本実施の形態に係る音響装置では、オープンループゲインを可変するため、ＭＦＢ量を変化させてもクローズドループゲインは変化しない。このため音量は変化せず、音量を補正するための回路を追加する必要がないので、簡素な構成で、良好な音質を得ることができる。
【図面の簡単な説明】
【００２３】
【図１】本発明の実施の形態に係る音響装置を示す構成図である。
【図２】従来のＭＦＢ方式の音響装置を示す構成図である。
【符号の説明】
【００２４】
１  差動増幅器
２  パワーアンプ
３  スピーカ
４  ボイスコイル
５  振動速度検出コイル
６  ＭＦＢレベル調整部
【図１】
2008236533.tif 000003
【図２】
2008236533.tif 000004